(57)【特許請求の範囲】
【請求項１】
ヒータからの熱を蓄える蓄熱材に、空気の出し入れにより膨張収縮する袋体より成るとともにこの膨張収縮により蓄熱材から放熱される放熱量を制御する放熱制御アクチュエータが積層され、この放熱制御アクチュエータに床面板が積層されており、この放熱制御アクチュエータの膨張収縮を確認する確認手段を備えたことを特徴とする蓄熱床暖房パネル。
【請求項２】
前記確認手段に、前記床面板に表裏貫通の孔を備えていることを特徴とする請求項１に記載の蓄熱床暖房パネル。
【請求項３】
前記確認手段に、前記床面板の表面側から前記孔へ挿通され前記放熱制御アクチュエータに当接するような同放熱制御アクチュエータの膨張収縮確認用の確認部材を備えていることを特徴とする請求項２に記載の蓄熱床暖房パネル。
【請求項４】
前記確認部材の頭部は、前記放熱制御アクチュエータが膨張するとともに前記床面板より突出し、同放熱制御アクチュエータが収縮するとともに前記孔内に収納されることを特徴とする請求項３に記載の蓄熱床暖房パネル。
【請求項５】
前記確認部材の前記床面板に平行な断面の大きさが前記孔の大きさと略同じであることを特徴とする請求項３または４に記載の蓄熱床暖房パネル
【請求項６】
前記確認部材は、前記孔より蓄熱床暖房パネル外へ引抜可能であることを特徴とする請求項３乃至５のいずれかに記載の蓄熱床暖房パネル。
【請求項７】
前記確認部材における前記放熱制御アクチュエータへの当接部には、前記床面板の孔の縁に係止される係止部を備えていることを特徴とする請求項６に記載の蓄熱床暖房パネル。
【請求項８】
ヒータからの熱を蓄える蓄熱材に、空気の出し入れにより膨張収縮する袋体より成るとともにこの膨張収縮により蓄熱材から放熱される放熱量を制御する放熱制御アクチュエータが積層され、同放熱制御アクチュエータに床面板が積層されており、同放熱制御アクチュエータの膨張収縮を確認する確認手段を備えた蓄熱床暖房パネルを、家屋躯体へ施工し、前記確認手段によって放熱制御アクチュエータの膨張収縮を確認し、仕上げ材を同蓄熱床暖房パネルに載置することを特徴とする蓄熱床暖房パネルを用いた床の施工方法。
【請求項９】
ヒータからの熱を蓄える蓄熱材に、空気の出し入れにより膨張収縮する袋体より成るとともにこの膨張収縮により蓄熱材から放熱される放熱量を制御する放熱制御アクチュエータが積層され、同放熱制御アクチュエータに床面板が積層され、さらに前記孔より蓄熱床暖房パネル外へ引抜可能であるとともに同放熱制御アクチュエータの膨張収縮を確認するための確認部材を備えた蓄熱床暖房パネルを、家屋躯体へ施工し、放熱制御アクチュエータの膨張収縮を確認し、前記確認部材を同蓄熱床暖房パネルより引抜き、仕上げ材を同蓄熱床暖房パネルに載置することを特徴とする蓄熱床暖房パネルを用いた床の施工方法。
【発明の詳細な説明】
【０００１】
【発明の属する技術分野】
本発明は蓄熱した熱を制御して放熱する蓄熱床暖房パネルに関する。
【０００２】
【従来の技術】
従来の蓄熱材により蓄熱した熱を制御して放熱する蓄熱床暖房パネルＺにあっては、ヒータ１０４の上に蓄熱ボード１２０が積層されており、そして空気の出し入れにより膨張収縮する袋体より成りこの膨張収縮により蓄熱材から放熱される放熱量を制御する放熱制御アクチュエータ１１１が前記蓄熱ボード１２０に積層され、放熱制御アクチュエータ１１１に床面板１１２が貼着されているものがある（図１０）。この蓄熱床暖房パネルＺは縦方向乃至横方向に並べられ、夫々の蓄熱床暖房パネルＺに備えられる放熱制御アクチュエータ１１１同士は空気配管及び空気ジョイント１２５により連結される。
【０００３】
この蓄熱床暖房パネルＺを床下地に施工するとき、前記空気配管及び空気ジョイント１２５による連結が不良であったり、床下地に釘打ちにより施工する際に、誤って放熱制御アクチュエータ１１１に釘打ちをして放熱制御アクチュエータ１１１を破損してしまうことなどが考えられ、その場合には、この放熱制御アクチュエータ１１１の、空気の出し入れによる膨張収縮の動作が、空気漏れにより正常に動作しないことが考えられる。この放熱制御アクチュエータ１１１の破損に気がつかずにこの蓄熱床暖房パネルＺを施工し、そして仕上げ材（例えば床表面化粧材）を施工した後に、この破損に気がついたときは、この仕上げ材を剥がして蓄熱床暖房パネルを補修することになり、手間がかかる。そして、仕上げ材を剥がすことにより、正常な蓄熱床暖房パネルまで破損して使用できなくなる可能性が有る。
【０００４】
【発明が解決しようとする課題】
本発明は上記の問題点を解消するためのものであって、放熱制御アクチュエータの動作の正常か否かを確認することのできる、蓄熱床暖房パネル及びそれを用いた床の施工方法について提供するものである。
【０００５】
【課題を解決するための手段】
請求項１記載の蓄熱床暖房パネルにあっては、ヒータからの熱を蓄える蓄熱材に、空気の出し入れにより膨張収縮する袋体より成るとともにこの膨張収縮により蓄熱材から放熱される放熱量を制御する放熱制御アクチュエータが積層され、この放熱制御アクチュエータに床面板が積層されており、この放熱制御アクチュエータの膨張収縮を確認する確認手段を備えたことを特徴とする。
【０００６】
このものにあっては、蓄熱材から床面板への放熱量の制御のための放熱制御アクチュエータの膨張収縮を、前記確認手段により確認することができる。従って放熱制御アクチュエータの動作が正常か否かを確認することができる。
【０００７】
請求項２においては、請求項１に記載の蓄熱床暖房パネルにおいて、前記確認手段には、前記床面板に表裏貫通の孔を備えていることを特徴とする。
【０００８】
このものにあっては、この孔を通して放熱制御アクチュエータの膨張収縮をしているか否かを視認することができる。
【０００９】
請求項３においては、請求項２に記載の蓄熱床暖房パネルにおいて、前記確認手段には、前記床面板の表面側から前記孔へ挿通され前記放熱制御アクチュエータに当接するような同放熱制御アクチュエータの膨張収縮確認用の確認部材を備えていることを特徴とする。
【００１０】
このものにあっては、前記放熱制御アクチュエータの膨張収縮に連動して、前記確認部材が前記床面板に対して垂直に往復運動する。そして膨張収縮をしていないときは、この往復運動が行われない。したがって、この膨張収縮の視認性が向上するので、蓄熱床暖房パネルの正常、異常を確実に確認することができる。
【００１１】
請求項４においては、請求項３に記載の蓄熱床暖房パネルにおいて、前記確認部材の頭部は、前記放熱制御アクチュエータが膨張するとともに前記床面板より突出し、同放熱制御アクチュエータが収縮するとともに前記孔内に収納されることを特徴とする。
【００１２】
このものにあっては、前記確認部材の、蓄熱床暖房パネルからの突出、及び同蓄熱床暖房パネルへの収納、を確認することで、前記放熱制御アクチュエータの膨張収縮を確認できる。したがって膨張収縮の視認性が一層向上するので、蓄熱床暖房パネルの正常、異常を、より確実に確認することができる。
【００１３】
請求項５においては、請求項３または４に記載の蓄熱床暖房パネルにおいて、前記確認部材の前記床面板に平行な断面の大きさが前記孔の大きさと略同じであることを特徴とする。
【００１４】
このものにあっては、前記確認部材と前記孔との隙間が殆ど無いので、異物が前記孔を通して前記蓄熱床暖房パネル内に進入することが抑制される。
【００１５】
請求項６においては、請求項３乃至５のいずれかに記載の蓄熱床暖房パネルにおいて、前記確認部材は、前記孔より蓄熱床暖房パネル外へ引抜可能であることを特徴とする。
【００１６】
このものにあっては、この確認部材が前記床面板から突出する場合、引抜くことにより、前記床面板を略平板状態にすることができる。
【００１７】
請求項７においては、請求項６に記載の蓄熱床暖房パネルにおいて、前記確認部材における前記放熱制御アクチュエータへの当接部には、前記床面板の孔の縁に係止される係止部を備えていることを特徴とする。
【００１８】
このものにあっては、通常は係止部により前記確認部材は蓄熱床暖房パネルに係止されているので、同確認部材は蓄熱床暖房パネルより外れることはない。そして、この確認部材は引抜くことが可能である。したがって、所望に応じて引抜くことが可能である。
【００１９】
請求項８記載の蓄熱床暖房パネルを用いた床の施工方法にあっては、ヒータからの熱を蓄える蓄熱材に、空気の出し入れにより膨張収縮する袋体より成るとともにこの膨張収縮により蓄熱材から放熱される放熱量を制御する放熱制御アクチュエータが積層され、同放熱制御アクチュエータに床面板が積層されており、同放熱制御アクチュエータの膨張収縮を確認する確認手段を備えた蓄熱床暖房パネルを、家屋躯体へ施工し、前記確認手段によって放熱制御アクチュエータの膨張収縮を確認し、仕上げ材を同蓄熱床暖房パネルに載置することを特徴とする。
【００２０】
このものにあっては、仕上げ材を前記蓄熱床暖房パネルに載置する前に、前記放熱制御アクチュエータの膨張収縮を確認することができる。したがって放熱制御アクチュエータの動作が正常か否かを確認した後に、仕上げ材を載置するので、正常な蓄熱床暖房パネルが施工された床を提供することができる。
【００２１】
請求項９記載の蓄熱床暖房パネルを用いた床の施工方法にあっては、ヒータからの熱を蓄える蓄熱材に、空気の出し入れにより膨張収縮する袋体より成るとともにこの膨張収縮により蓄熱材から放熱される放熱量を制御する放熱制御アクチュエータが積層され、同放熱制御アクチュエータに床面板が積層され、さらに前記孔より蓄熱床暖房パネル外へ引抜可能であるとともに同放熱制御アクチュエータの膨張収縮を確認するための確認部材を備えた蓄熱床暖房パネルを、家屋躯体へ施工し、放熱制御アクチュエータの膨張収縮を確認し、前記確認部材を同蓄熱床暖房パネルより引抜き、仕上げ材を同蓄熱床暖房パネルに載置することを特徴とする。
【００２２】
このものにあっては、放熱制御アクチュエータの膨張収縮を確認後、前記確認部材を引抜くことで、床面板は略平面になり、故に仕上げ材を蓄熱床暖房パネルの床面板へ載置することができる。
【００２３】
【発明の実施の形態】
以下本発明の実施形態を図を用いて説明する。
【００２４】
蓄熱床暖房パネルＡは床に並べて敷設することにより床暖房装置を施工するものであり、図４に示すような横接続用蓄熱床暖房パネルＡ１と、図５に示すような縦接続用蓄熱床暖房パネルＡ２とがある。この蓄熱床暖房パネルＡはヒータ４、蓄熱材５、放熱制御アクチュエータ１１、床面板１２を組み合わせてパネル化したものである。
【００２５】
蓄熱材５は蓄熱ボード２０の充填空間内に充填されている（図２）。蓄熱ボード２０は、偏平な矩形箱状で内部が充填空間となった筐体２０ａの周縁に立ち上がり壁２０ｂを設けると共に立ち上がり壁２０ｂの上端に周縁の適所で取り付け片２０ｃを水平に突設して形成されている。この蓄熱ボード２０はポリプロピレンのような合成樹脂にて一体に形成されている。蓄熱ボード２０の筐体２０ａの下面には、通電することより発熱するヒータ４が蓄熱ボード２０の下面の全面に亙って装着されている。このヒータ４は、粘着により、またはその他の機械的方法によって固定されている。
【００２６】
蓄熱ボード２０の筐体２０ａの上面上において、立ち上がり壁２０ｂで囲まれる部分には、放熱制御アクチュエータ１１が収納されており、放熱制御アクチュエータ１１の上に均熱板としてのアルミニウム箔２１が積層されており、蓄熱ボード２０の立ち上がり壁２０ｂの上端の上には、蓄熱ボード２０の上面の全面を覆うように合板のような床面板１２が配置されており、取り付け片２０ｃを床面板１２にビス等で固定することにより、蓄熱ボード２０と床面板１２とを一体化してある（図３）。
【００２７】
放熱制御アクチュエータ１１は、空気を出し入れすることにより膨張収縮する袋体より成り、且つ膨張収縮により蓄熱材５から放熱される放熱量を制御するものである。この放熱制御アクチュエータ１１の原理は本特許出願人が先に出願した特開平１１−３３７０９５号公報に開示される袋体と同じであるため詳しい説明は省略する。放熱制御アクチュエータ１１は矩形状の上シートと矩形状の下シートを重ね、周縁をヒートシールすることにより袋状に形成されている。かかる上シートは例えば厚さ２５μｍのＰＥＴシート、下シートは例えば厚さ３０μｍのＣＰＰシートである。
【００２８】
横接続用蓄熱床暖房パネルＡ１では、放熱制御アクチュエータ１１の一端の上面にダクト接続用ジョイント２３が設けられており、放熱制御アクチュエータ１１の他端に縦送り用の雄型空気ジョイント２４が設けられている。ダクト接続用ジョイント２３はプラスチック成形品等であり、後述するヘッダーダクト３６と接着等で接続できるようになっている。雄型空気ジョイント２４はポリプロピレンのようなプラスッチク成形品であり、放熱制御アクチュエータ１１に熱融着等で取り付けられている。またこの雄型空気ジョイント２４は蓄熱ボード２０の立ち上がり壁２０ｂに挿通して外に突出されている。縦接続用蓄熱床暖房パネルＡ２では放熱制御アクチュエータ１１の一端に縦送り用の雌型空気ジョイント２５が設けられており、放熱制御アクチュエータ１１の他端に縦送り用の雄型空気ジョイント２４が設けられている。雌型空気ジョイント２５はポリプロピレンのようなプラスチック成形品であり、放熱制御アクチュエータ１１に熱融着等で取り付けてある。かかる雌型空気ジョイント２５と雄型空気ジョイント２４は蓄熱ボード２０の立ち上がり壁２０ｂに挿通して突出させてあり、雌型空気ジョイント２５は雄型空気ジョイント２４に嵌め込み等で着脱自在に接続できるようになっている。また縦方向の末端に位置する縦接続用蓄熱床暖房パネルＡ２では雌型空気ジョインド２５にエンドキャップ２６を着脱自在に取り付けて閉塞できるようになっている。
【００２９】
また床面板１２の上面に電気配線用の凹部１５が設けられる。この凹部１５には横接続用凹部１５ａと縦接続用凹部１５ｂとがある。横接続用蓄熱床暖房パネルＡ１では床面板１２の一端に横接続用凹部１５ａを穿設してあり、床面板１２の他端に縦接続用凹部１５ｂを設けてある。この横接続用凹部１５ａの長手方向の中央には横接続コネクター１４を収納して設置してあり、この横接続コネクター１４とヒータ４とを接続してある。また横送り線１３は横接続用凹部１５ａに収納するように挿通してあり、横送り線１３の端部を横接続用コネクター１４に接続してある。この横送り線１３や横接続コネクター１４を横接続用凹部１５ａに収納した状態で横接続用凹部１５ａの上面開口に横接続部用蓋２７を着脱自在に被着して閉塞できるようになっている。また縦接続用凹部１５ｂは縦接続コネクター１７を収納して設置してあり、この縦接続コネクター１７に縦送り線１６を接続できるようになっている。この縦送り線１６や縦接続コネクター１７を収納した状態で縦接続用凹部１５ｂの上面開口に縦接続部用蓋２８を着脱自在に被着して閉塞できるようになっている。
【００３０】
縦接続用蓄熱床暖房パネルＡ２では床面板１２の一端及び他端に縦接続用凹部１５ｂを設けてある。一端の縦接続用凹部１５ｂには縦送り線１６を収納してあり、この縦送り線１６をヒータ４に接続してある。この縦送り線１６は引き出して隣接の縦接続コネクター１７に接続するためにコード長さに余裕を持たせてある。他端の縦接続用凹部１５ｂには縦接続コネクター１７を収納してあり、縦接続コネクター１７をヒータ４に接続してある。かかる両端の縦接続用凹部１５ｂの上面開口には縦接続部用蓋２８を着脱自在に被着して閉塞できるようになっている（図５）。
【００３１】
横接続用蓄熱床暖房パネルＡ１の一端には、放熱制御アクチュエータ１１に空気を供給するためのヘッダーダクト３６を設けられるが、このヘッダーダクト３６は床面板１２の厚さと略同じ厚さになっており、床面板１２に埋設するように床面板１２と一体に設けてある。ヘッダーダクト３６はアルミニウム等の押出成形品である。かかるヘッダーダクト３６は前述のようにダクト接続用ジョイント２３と接着等で接続してある。ヘッダーダクト３６の長手方向の端部はゴムシール部材２９を介して接続されるようにしてある（図４）。
【００３２】
上記のように構成される横接続用蓄熱床暖房パネルＡ１や縦接続用蓄熱床暖房パネルＡ２を用いて、図６に示すように施工される。横接続用蓄熱床暖房パネルＡ１は横方向に複数枚並べて敷設され、各横接続用蓄熱床暖房パネルＡ１を親パネルとして縦方向に複数枚の縦接続用蓄熱床暖房パネルＡ２が並べて敷設される。建物の床には大引１の上に大引１と直交するように複数の根太３が等間隔に架設されているが、上記蓄熱床暖房パネルＡは各根太３間に嵌め込むように敷設される。
【００３３】
蓄熱床暖房パネルＡを敷設したとき床面板１２の端縁が根太３の上に載設される。大引１間には断熱材６を装填してある。隣接する横接続用蓄熱床暖房パネルＡ間では隣り合う横接続用凹部１５ａが連通させられ、横接続用凹部１５ａに横送り線１３を挿通して収納され、横送り線１３の端部が横接続コネクター１４に接続され、横接続用凹部１５ａの上面の開口に横接続部用蓋２７が被着される。また隣接する横接続用蓄熱床暖房パネルＡ１間で隣接するヘッダダクト３６の端部同士が差し込み接続される。また横接続用蓄熱床暖房パネルＡ１と縦接続用蓄熱床暖房パネルＡ２とが隣接する部分や縦接続用蓄熱床暖房パネルＡ２が縦方向に隣接する部分では隣接する縦接続用凹部１５ｂ間で縦送り線１６の端部が縦接続コネクター１７に接続される。図６で符号Ｂに示す部分は縦送り線１６と縦接続コネクター１７の接続状態であり、符号Ｃに示す部分は未接続状態である。このように縦送り線１６と縦接続コネクター１７とを接続して縦接続用凹部１５ｂに収納した状態で縦接続用凹部１５ｂの上面開口に縦接続部用蓋２８が被着される。また横接続用蓄熱床暖房パネルＡ１と縦接続用蓄熱床暖房パネルＡ２とが隣接する部分や縦接続用蓄熱床暖房パネルＡ２が縦方向に隣接する部分では雌型空気ジョイント２５と雄型空気ジョイント２４とが差し込み接続される。また縦方向の末端に位置する縦接続用蓄熱床暖房パネルＡ２では雌型空気ジョイント２５にエンドキャップ２６が装着される。上記のように蓄熱床暖房パネルＡが敷設され、各蓄熱床暖房パネルＡのヒータ４に給電され、各蓄熱床暖房パネルＡの放熱制御アクチュエータ１１に空気が供給される。
【００３４】
ここで、縦接続用蓄熱床暖房パネルＡ２において、横接続用蓄熱床暖房パネルＡ１より最も離れた位置に存する、縦方向の末端に位置するパネルＡ２１（以後このパネルをエンドパネルＡ２１と称す）においては、床面板１２及びアルミニウム箔２１には径約１０ｍｍ程度の孔が夫々穿設されている（以後床面板１２への孔を孔５０、アルミニウム箔２１への孔を孔５１と称す。（図１、図６））そしてエンドパネルＡ２１において（図１）、上方からこの放熱制御アクチュエータ１１の、空気の供給及び吐出による膨張および収縮が正常に行われているかどうかを確認するための、確認部材５２が、孔５０及び孔５１に挿入され、放熱制御アクチュエータ１１の上面に当接される。
【００３５】
この確認部材５２は、上部が略円筒形状で径が孔５０及び孔５１の径と略同じのものであって（確認部材上部５２ａと称す）、下部はアルミニウム箔２１の下面側における孔５１の縁に係止されるような、確認部材上部５２ａの下面から外側に放射線状に広がっている形状の係止脚５２ｂから成るものである（図８）。
【００３６】
確認部材上部５２ａの径が孔５０及び孔５１と略同じであるので、ゴミ等が孔５０及び孔５１を通して蓄熱床暖房パネル内に入ることが抑制される。
【００３７】
係止脚５２ｂは弾性を有するものであって、係止脚５２ｂの幅ｔは、通常時は、孔５０の幅ｒ及び孔５１の幅ｓよりも大きく、係止脚５２ｂの外側から指でつまむと簡単に幅ｒ、幅ｓよりも小さくなるものである（図１、図８、図９）。
【００３８】
この確認部材５２を、係止脚５２ｂを指でつまんで幅ｔを幅ｒ、幅ｓよりも小さくしながら、孔５０及び孔５１へ挿入させる。そして指を離し、係止脚５２ｂの幅ｔが、幅ｒ及び孔５１の幅ｓよりも大きくなる。こうして係止脚５２ｂが孔５１の縁に引っ掛るようになる。したがって確認部材５２はエンドパネルＡ２１に係止される（図７）。
【００３９】
なおこの確認部材５２においては、確認部材上部５２ａを指でつまんでエンドパネルＡ２１から上方へ引抜くことができる。即ち、確認部材５２の係止脚５２ｂは通常時は上述のように孔５１の縁に係止されているので、確認部材５２はエンドパネルＡ２１に引っ掛り、抜け落ちしない状態あるが、確認部材上部５２ａを指でつまんでエンドパネルＡ２１から上方へ引くことにより、係止脚５２ｂの幅ｔが、孔５０及び孔５１の幅ｒ、幅ｓ以下になり、故に確認部材５２はエンドパネルＡ２１より引抜かれる。
【００４０】
この確認部材５２は、放熱制御アクチュエータ１１が収縮しているときは、確認部材上部５２ａは孔５０内に納まった状態である。そして膨張するにつれ、この放熱制御アクチュエータ１１が確認部材５２を押し上げ、確認部材上部５２ａ上端部がエンドパネルＡ２１の床面板１２より上方へ突出する。
【００４１】
この確認部材上部５２ａ上端部の、床面板１２からの突出、収納の動作を確認することで、放熱制御アクチュエータ１１への空気の流入及び流出が確実に行われていることが確認できる。もし、確認部材上部５２ａ上端部の、床面板１２からの突出、収納の動作が確認できない場合、即ち、確認部材上部５２ａ上端部が床面板１２内に納まったままで突出しない場合は、このエンドパネルＡ２１の放熱制御アクチュエータ１１への空気の流入経路中に、破損により空気が漏れていることや、詰りにより空気の流れが抑制されている場合が想定できる。
【００４２】
したがって、この蓄熱床暖房パネルＡの施工時に、この確認部材５２により、エンドパネルＡ２１だけでなく、施工された全ての蓄熱床暖房パネルＡにおいて、空気の流れの正常、異常を確認することができる。
【００４３】
この蓄熱床暖房パネルＡを用いた床にあっては、この蓄熱床暖房パネルＡが施工された後には、床面板１２の上面に、仕上げ材としての木質の床表面化粧材が貼られるものである。したがってこの床表面化粧材を蓄熱床暖房パネルＡの床面板１２の上面に貼着する前に、この確認部材５２による蓄熱床暖房パネルＡの正常、異常を確認することができる。
【００４４】
この蓄熱床暖房パネルＡを施工後の工程は、次の通りである。先ず、空気を送り込み、エンドパネルＡ２１における確認部材５２の突出を確認する。次に空気を流出させ、同確認部材５２の収納を確認する。これを全てのエンドパネルＡ２１において確認する。異常を確認したときは適宜修理する。そして全てのエンドパネルＡ２１において、確認部材５２の突出、収納の確認により、正常であることを確認した後、確認部材５２をエンドパネルＡ２１から引抜く。そして最後に、床表面化粧材を蓄熱床暖房パネルＡの床面板１２の上面に貼着する。
【００４５】
なおこの確認部材５２、孔５０、孔５１にあっては、全ての蓄熱床暖房パネルＡに設けられていても良い。
【００４６】
また仕上げ材としては上記床表面化粧材のほかに、クッション性のあるフロア材等であっても良い。
【００４７】
【発明の効果】
以上の説明により、本発明の蓄熱床暖房パネルは、放熱制御アクチュエータの膨張収縮を確認する確認手段を備えているので、放熱制御アクチュエータの動作が正常か否かを確認できる。また、この蓄熱床暖房パネルを、家屋躯体へ施工し、確認手段によって放熱制御アクチュエータの膨張収縮を確認し、仕上げ材を同蓄熱床暖房パネルに載置するといった、蓄熱床暖房パネルを用いた床の施工方法により、放熱制御アクチュエータの動作が正常か否かを、施工中に確認でき、その確認後、床表面化粧材を載置することができ、正常な蓄熱床暖房パネルが施工された床を提供できる。
【図面の簡単な説明】
【図１】本発明の実施形態に係る蓄熱床暖房パネルにおいて、エンドパネルの分解斜視図である。
【図２】同上の蓄熱床暖房パネルの蓄熱ボードの断面図である。
【図３】同上の蓄熱床暖房パネルの断面図である。
【図４】同上の横接続用蓄熱床暖房パネルの分解斜視図である。
【図５】同上の縦接続用蓄熱床暖房パネルの分解斜視図である。。
【図６】同上の組み立て状態を示す斜視図である。
【図７】同上の蓄熱床暖房パネルの長手方向の概略断面図であり、放熱制御アクチュエータの膨張収縮状態を示すものであって、（ａ）は放熱制御アクチュエータの収縮時、（ｂ）は放熱制御アクチュエータの膨張時を示すものである。
【図８】同上の蓄熱床暖房パネルの確認部材の通常時を示すものであって、（ａ）は正面図、（ｂ）は下面図である。
【図９】同上の蓄熱床暖房パネルの確認部材において、蓄熱床暖房パネルからの取出時及び蓄熱床暖房パネルへの取付時の状態を示すものであって、（ａ）は正面図、（ｂ）は下面図である。
【図１０】従来の蓄熱床暖房パネルの一例である分解斜視図である。
【符号の説明】
４      ヒータ
５      蓄熱材
１１    放熱制御アクチュエータ
１２    床面板
Ａ      蓄熱床暖房パネル
５０    孔
５２    確認部材
５２ｂ  係止部（係止脚）
【図１】
0003642300.tif 000002
【図２】
0003642300.tif 000003
【図３】
0003642300.tif 000004
【図４】
0003642300.tif 000005
【図５】
0003642300.tif 000006
【図６】
0003642300.tif 000007
【図７】
0003642300.tif 000008
【図８】
0003642300.tif 000009
【図９】
0003642300.tif 000010
【図１０】
0003642300.tif 000011